【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
タッチ感応コンピューティングデバイス上の主ユーザの握りを表すセンサ信号を受け取るステップと、
前記主ユーザの前記握りの前記受け取った信号に近接した時間に前記タッチ感応コンピューティングデバイス上の副ユーザの握りを表すセンサ信号を受け取るステップと、
前記主ユーザおよび前記副ユーザの握りが並行に保たれる間に前記主ユーザおよび前記副ユーザが前記タッチ感応コンピューティングデバイスを並行して共有しているか決定し、前記主ユーザおよび前記副ユーザの握りが並行に保たれる間に前記タッチ感応コンピューティングデバイスの平面の向きがおよそ水平であり、その後前記タッチ感応コンピューティングデバイスの平面の向きが前記副ユーザに向かって傾いて前記主ユーザの握りが感知されなくなったことを決定するために前記主および副ユーザの前記握りの前記センサ信号を相関させるステップと、
前記決定を前記タッチ感応コンピューティングデバイスで実行されるアプリケーションのコマンドを開始するために使用するステップを含む、ユーザインターフェース作用を開始するためのコンピュータ実装方法。
【請求項２】
前記決定は、前記タッチ感応コンピューティングデバイスがディスプレイスクリーンを備えるデバイスであると決定することを含む、請求項１に記載のコンピュータ実装方法。
【請求項３】
前記主ユーザの握りが感知されなくなると、前記タッチ感応コンピューティングデバイスの平面の向きは、前記副ユーザのため前記ディスプレイスクリーンの観察し易い角度に向かって傾けられる、請求項２に記載のコンピュータ実装方法。
【請求項４】
前記タッチ感応コンピューティングデバイスの１つまたは複数の機能が、ハンドオフの後で制限される、請求項２に記載のコンピュータ実装方法。
【請求項５】
前記タッチ感応コンピューティングデバイスを前記主ユーザまたは前記副ユーザがどのように握ったかによって、前記タッチ感応コンピューティングデバイスとの少なくとも一度のコンタクトの文脈が決定される、請求項１に記載のコンピュータ実装方法。
【請求項６】
共有モードで動作する前記タッチ感応コンピューティングデバイスをさらに含み、各ユーザが、前記タッチ感応コンピューティングデバイスのユーザインターフェースに異なる許可の組を有する異なる役割を有するように指定される、請求項１に記載のコンピュータ実装方法。
【請求項７】
前記副ユーザが前記タッチ感応コンピューティングデバイス上に現在表示されているコンテンツを閲覧し編集することだけが可能である、前記タッチ感応コンピューティングデバイスのディスプレイ上に１つまたは複数の注釈層を表示するステップをさらに含む、請求項６に記載のコンピュータ実装方法。
【請求項８】
前記副ユーザが、前記タッチ感応コンピューティングデバイス上のファイルのデジタル複写を行うことが可能でない、請求項６に記載のコンピュータ実装方法。
【請求項９】
前記副ユーザが、前記タッチ感応コンピューティングデバイス上に表示されていない文書またはファイルをナビゲートすることが可能でない、請求項７に記載のコンピュータ実装方法。
【請求項１０】
１つのタッチ感応コンピューティングデバイスが、タッチ感応ペンであり、
前記タッチ感応ペンを介して前記主ユーザから前記副ユーザにデータを転送するステップをさらに含み、
前記副ユーザが、前記タッチ感応ペンを介して別のタッチ感応コンピューティングデバイスに前記データをダウンロードする、請求項１に記載のコンピュータ実装方法。
【請求項１１】
タッチ感応ペン上の主ユーザの第１握りおよびタッチ感応コンピューティングデバイス上の前記主ユーザの第２握りを並行して感知するステップと、
前記タッチ感応ペンおよび前記タッチ感応コンピューティングデバイス上の前記主ユーザの前記第１握りおよび前記第２握りを感知するのと並行して、前記タッチ感応ペン上の副ユーザの第３握りおよび前記タッチ感応コンピューティングデバイス上の前記副ユーザの第４握りを感知するステップと、
前記複数の握りの文脈を決定するために、並行して感知された前記タッチ感応ペンおよび前記タッチ感応コンピューティングデバイス上の前記主ユーザおよび前記副ユーザの前記複数の握りから受け取った信号を相関させるステップと、
前記文脈を前記タッチ感応ペンまたは前記タッチ感応コンピューティングデバイスで実行されるアプリケーションのコマンドを開始するために使用するステップを含む、ユーザインターフェース作用を開始するためのコンピュータ実装方法。
【請求項１２】
前記タッチ感応ペン上の前記主ユーザの前記第１握りと前記副ユーザの前記第３握りとを筆記握り、タック握り、手のひら握り、および握りなしのカテゴリーに分類するステップをさらに含む、請求項１１に記載のコンピュータ実装方法。
【請求項１３】
前記主ユーザおよび前記副ユーザの前記握りが、前記主ユーザから前記副ユーザへの前記ペンおよび前記タッチ感応コンピューティングデバイスの両方のハンドオフを表す、請求項１１に記載のコンピュータ実装方法。
【請求項１４】
前記ハンドオフが、前記タッチ感応ペンおよび前記タッチ感応コンピューティングデバイス上の前記握りが感知されたとき前記タッチ感応ペンの平面および前記タッチ感応コンピューティングデバイスの平面の向きが各々水平であることを決定することによって検出される、請求項１３に記載のコンピュータ実装方法。
【請求項１５】
前記ハンドオフが、前記主および副ユーザの前記握りによって、および前記タッチ感応ペンが前記ハンドオフにおいて前記タッチ感応コンピューティングデバイスの上部に置かれていることによって決定される、請求項１３に記載のコンピュータ実装方法。
【請求項１６】
前記タッチ感応ペンまたは前記タッチ感応コンピューティングデバイスの１つまたは複数の機能が、前記ハンドオフの後で制限される、請求項１４に記載のコンピュータ実装方法。
【請求項１７】
コンピューティングデバイスと、
前記コンピューティングデバイスにより実行可能なプログラムモジュールを構成するコンピュータプログラムと、を含み、
前記プログラムモジュールにより、前記コンピューティングデバイスは、
第１タッチ感応デバイス上の主ユーザの第１握りと、第２タッチ感応デバイス上の主ユーザの第２握りとを並行して感知するステップと、
前記第１タッチ感応デバイスおよび前記第２タッチ感応デバイス上の前記主ユーザの前記第１握りおよび前記第２握りを感知するのと並行して、前記第１タッチ感応デバイス上の副ユーザの第３握りおよび前記第２タッチ感応デバイス上の前記副ユーザの第４握りを感知するステップと、
第１タッチ感応デバイスおよび第２タッチ感応デバイス上の前記主ユーザおよび前記副ユーザからの同時のコンタクトにより生成された信号を相関させるステップと、
前記信号の相関に基づいて、第１タッチ感応デバイスおよび第２タッチ感応デバイス上の前記主ユーザおよび前記副ユーザからの前記同時のコンタクトの文脈を決定するステップと、
前記コンタクトの前記文脈をアプリケーションにおける使用のためのメタデータとしてラベル付けするステップを実行する、メタデータを求めるためのシステム。
【請求項１８】
少なくとも１つの前記タッチ感応デバイスはタッチ感応ペンであり、少なくとも１つの前記タッチ感応デバイスは、同じユーザにより同時に用いられるタッチ感応コンピューティングデバイスである、請求項１７に記載のシステム。
【請求項１９】
前記タッチ感応ペンを前記ユーザがどのように握ったかによって、少なくとも一度のコンタクトの前記決定された文脈が導出される、請求項１８に記載のシステム。
【請求項２０】
前記コンタクトの前記導出された文脈は、電気皮膚反応センサの表す信号により導出される、請求項１７に記載のシステム。